【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
ＩＰネットワークに接続されるＩＰ電話装置と、前記ＩＰネットワークを介して前記ＩＰ電話装置を遠隔管理する管理装置と、を具備するＩＰ電話システムであって、
前記管理装置は、前記ＩＰ電話装置を遠隔管理する際、遠隔管理の要求を示すコマンドと自管理装置のＩＰアドレスとを含ませたセッション確立メッセージを前記ＩＰ電話装置に送信し、
前記メッセージを受信したＩＰ電話装置は、前記メッセージ中の遠隔管理の要求を示すコマンドを認識すると、乱数を生成し、当該乱数と自装置の遠隔管理を受け付けるポート情報と自装置のＩＰアドレスとを設定した応答メッセージを前記管理装置に返送し、
前記応答メッセージを受信した管理装置は、予め前記ＩＰ電話装置と共通で記憶されたパスワードと受信した応答メッセージ中の乱数とから認証用文字列を生成して前記ＩＰ電話装置の前記ポート情報のポートに送信し、
前記認証用文字列を受信したＩＰ電話装置は、予め前記管理装置と共通で記憶されたパスワードと前記生成した乱数とから第２の認証用文字列を生成し、前記管理装置から受信した認証用文字列と自装置が生成した第２の認証用文字列とを比較し、同一であれば前記管理装置からの遠隔管理を受け付けることを特徴とするＩＰ電話システム。
【請求項２】
前記遠隔管理の要求を示すコマンドとして、遠隔管理を開始する遠隔管理開始要求コマンドまたは遠隔管理を終了する遠隔管理終了要求コマンドが少なくとも用いられることを特徴とする請求項１記載のＩＰ電話システム。
【請求項３】
前記遠隔管理の要求を示すコマンドは、ＳＩＰプロトコルに規定されたＩＮＶＩＴＥメッセージに追加のコマンドとして設定されることを特徴とする請求項１または請求項２記載のＩＰ電話システム。
【請求項４】
ＩＰネットワークに接続されるＩＰ電話装置と、前記ＩＰネットワークを介して前記ＩＰ電話装置を遠隔管理する管理装置と、を具備するＩＰ電話システムにおけるＩＰ電話管理方法であって、
前記管理装置は、前記ＩＰ電話装置を遠隔管理する際、遠隔管理の要求を示すコマンドと自管理装置のＩＰアドレスとを含ませたセッション確立メッセージを前記ＩＰ電話装置に送信し、
前記メッセージを受信したＩＰ電話装置は、前記メッセージ中の遠隔管理の要求を示すコマンドを認識すると、乱数を生成し、当該乱数と自装置の遠隔管理を受け付けるポート情報と自装置のＩＰアドレスとを設定した応答メッセージを前記管理装置に返送し、
前記応答メッセージを受信した管理装置は、予め前記ＩＰ電話装置と共通で記憶されたパスワードと受信した応答メッセージ中の乱数とから認証用文字列を生成して前記ＩＰ電話装置の前記ポート情報のポートに送信し、
前記認証用文字列を受信したＩＰ電話装置は、予め前記管理装置と共通で記憶されたパスワードと前記生成した乱数とから第２の認証用文字列を生成し、前記管理装置から受信した認証用文字列と自装置が生成した第２の認証用文字列とを比較し、同一であれば前記管理装置からの遠隔管理を受け付けることを特徴とするＩＰ電話管理方法。
【請求項５】
ＩＰネットワークを介して接続される管理装置から遠隔管理されるＩＰ電話装置であって、
前記管理装置から遠隔管理の要求を示すコマンドを含むセッション確立メッセージを受信し、
前記メッセージ中から遠隔管理の要求を示すコマンドを認識すると、乱数を生成し、当該乱数と自装置の遠隔管理を受け付けるポート情報と自装置のＩＰアドレスとを設定した応答メッセージを前記管理装置に返送し、
前記管理装置が当該ＩＰ電話装置と共通で記憶するパスワードと当該ＩＰ電話装置が返送した乱数とから生成した認証用文字列を前記管理装置から前記ポート情報のポートにおいて受信したとき、前記パスワードと前記生成した乱数とから第２の認証用文字列を生成し、
前記管理装置から受信した認証用文字列と前記生成した第２の認証用文字列とを比較し、
前記受信した認証用文字列と前記第２の認証用文字列とが同一であれば前記管理装置からの遠隔管理を受け付けることを特徴とするＩＰ電話装置。
【請求項６】
ＩＰネットワークを介してＩＰ電話装置を遠隔管理する管理装置であって、
前記ＩＰ電話装置を遠隔管理する際、遠隔管理の要求を示すコマンドと自管理装置のＩＰアドレスとを含ませたセッション確立メッセージを前記ＩＰ電話装置に送信し、
乱数と遠隔管理を受け付けるポート情報とＩＰアドレスとを設定した応答メッセージを前記ＩＰ電話装置から受信し、
予め前記ＩＰ電話装置と共通で記憶されたパスワードと受信した応答メッセージ中の乱数とから認証用文字列を生成して前記ＩＰ電話装置の前記ポート情報のポートに送信し、 前記認証用文字列が前記パスワードと前記乱数とから前記ＩＰ電話装置により生成された第２の認証用文字列と一致して前記ＩＰ電話装置から遠隔管理を許可されたとき、前記ＩＰ電話装置の遠隔管理を行うことを特徴とする管理装置。
【手続補正２】
【補正対象書類名】明細書
【補正対象項目名】発明の名称
【補正方法】変更
【補正の内容】
【発明の名称】ＩＰ電話システム及びＩＰ電話管理方法、ＩＰ電話装置、管理装置
【手続補正３】
【補正対象書類名】明細書
【補正対象項目名】０００１
【補正方法】変更
【補正の内容】
【０００１】
本発明は、ＩＰ電話装置を管理装置が遠隔管理するＩＰ電話システム及びＩＰ電話管理方法、ＩＰ電話装置、管理装置に関する。
【手続補正４】
【補正対象書類名】明細書
【補正対象項目名】０００５
【補正方法】変更
【補正の内容】
【０００５】
本発明は、ＩＰネットワークに接続されるＩＰ電話装置と、前記ＩＰネットワークを介して前記ＩＰ電話装置を遠隔管理する管理装置と、を具備するＩＰ電話システムであって、前記管理装置は、前記ＩＰ電話装置を遠隔管理する際、遠隔管理の要求を示すコマンドと自管理装置のＩＰアドレスとを含ませたセッション確立メッセージを前記ＩＰ電話装置に送信し、前記メッセージを受信したＩＰ電話装置は、前記メッセージ中の遠隔管理の要求を示すコマンドを認識すると、乱数を生成し、当該乱数と自装置の遠隔管理を受け付けるポート情報と自装置のＩＰアドレスとを設定した応答メッセージを前記管理装置に返送し、前記応答メッセージを受信した管理装置は、予め前記ＩＰ電話装置と共通で記憶されたパスワードと受信した応答メッセージ中の乱数とから認証用文字列を生成して前記ＩＰ電話装置の前記ポート情報のポートに送信し、前記認証用文字列を受信したＩＰ電話装置は、予め前記管理装置と共通で記憶されたパスワードと前記生成した乱数とから第２の認証用文字列を生成し、前記管理装置から受信した認証用文字列と自装置が生成した第２の認証用文字列とを比較し、同一であれば前記管理装置からの遠隔管理を受け付けるようにしたものである。
【手続補正５】
【補正対象書類名】明細書
【補正対象項目名】０００６
【補正方法】変更
【補正の内容】
【０００６】
本発明に係るＩＰ電話システム及びＩＰ電話管理方法、ＩＰ電話装置、管理装置によれば、ＩＰ電話装置のＩＰアドレスが変更されても遠隔管理をＳＩＰコマンドを用いて低コストで安全に実現することができる。
【手続補正６】
【補正対象書類名】明細書
【補正対象項目名】０００７
【補正方法】変更
【補正の内容】
【０００７】
本発明の第１の態様に係るＩＰ電話システムは、ＩＰネットワークに接続されるＩＰ電話装置と、前記ＩＰネットワークを介して前記ＩＰ電話装置を遠隔管理する管理装置と、を具備するＩＰ電話システムであって、前記管理装置は、前記ＩＰ電話装置を遠隔管理する際、遠隔管理の要求を示すコマンドと自管理装置のＩＰアドレスとを含ませたセッション確立メッセージを前記ＩＰ電話装置に送信し、前記メッセージを受信したＩＰ電話装置は、前記メッセージ中の遠隔管理の要求を示すコマンドを認識すると、乱数を生成し、当該乱数と自装置の遠隔管理を受け付けるポート情報と自装置のＩＰアドレスとを設定した応答メッセージを前記管理装置に返送し、前記応答メッセージを受信した管理装置は、予め前記ＩＰ電話装置と共通で記憶されたパスワードと受信した応答メッセージ中の乱数とから認証用文字列を生成して前記ＩＰ電話装置の前記ポート情報のポートに送信し、前記認証用文字列を受信したＩＰ電話装置は、予め前記管理装置と共通で記憶されたパスワードと前記生成した乱数とから第２の認証用文字列を生成し、前記管理装置から受信した認証用文字列と自装置が生成した第２の認証用文字列とを比較し、同一であれば前記管理装置からの遠隔管理を受け付ける構成を採る。
【手続補正７】
【補正対象書類名】明細書
【補正対象項目名】０００８
【補正方法】変更
【補正の内容】
【０００８】
この構成によれば、ハードウェアを追加することなくプログラムを追加するだけで、ＩＰ電話装置のＩＰアドレスが変更された場合でも、管理装置からＩＰ電話装置を遠隔管理することが可能な遠隔管理サービスを提供することができ、そのサービスコストも低減することができるとともに、遠隔管理認証処理に際して管理装置とＩＰ電話装置の間でパスワードも送受信されないため、第３者が遠隔管理認証情報を作成することは困難であり、遠隔管理サービスのセキュリティを容易に確保することができる。
【手続補正８】
【補正対象書類名】明細書
【補正対象項目名】０００９
【補正方法】変更
【補正の内容】
【０００９】
本発明の第２の態様は、前記遠隔管理の要求を示すコマンドとして、遠隔管理を開始する遠隔管理開始要求コマンドまたは遠隔管理を終了する遠隔管理終了要求コマンドが少なくとも用いられる構成を採る。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
本発明の第３の態様は、第１又は第２の態様に係るＩＰ電話システムにおいて、前記遠隔管理の要求を示すコマンドは、ＳＩＰプロトコルに規定されたＩＮＶＩＴＥメッセージに追加のコマンドとして設定される構成を採る。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
本発明の第４の態様に係るＩＰ電話管理方法は、ＩＰネットワークに接続されるＩＰ電話装置と、前記ＩＰネットワークを介して前記ＩＰ電話装置を遠隔管理する管理装置と、を具備するＩＰ電話システムにおけるＩＰ電話管理方法であって、前記管理装置は、前記ＩＰ電話装置を遠隔管理する際、遠隔管理の要求を示すコマンドと自管理装置のＩＰアドレスとを含ませたセッション確立メッセージを前記ＩＰ電話装置に送信し、前記メッセージを受信したＩＰ電話装置は、前記メッセージ中の遠隔管理の要求を示すコマンドを認識すると、乱数を生成し、当該乱数と自装置の遠隔管理を受け付けるポート情報と自装置のＩＰアドレスとを設定した応答メッセージを前記管理装置に返送し、前記応答メッセージを受信した管理装置は、予め前記ＩＰ電話装置と共通で記憶されたパスワードと受信した応答メッセージ中の乱数とから認証用文字列を生成して前記ＩＰ電話装置の前記ポート情報のポートに送信し、前記認証用文字列を受信したＩＰ電話装置は、予め前記管理装置と共通で記憶されたパスワードと前記生成した乱数とから第２の認証用文字列を生成し、前記管理装置から受信した認証用文字列と自装置が生成した第２の認証用文字列とを比較し、同一であれば前記管理装置からの遠隔管理を受け付ける方法を採る。
【手続補正１５】
【補正対象書類名】明細書
【補正対象項目名】００１８
【補正方法】変更
【補正の内容】
【００１８】
この方法によれば、ハードウェアを追加することなくプログラムを追加するだけで、ＩＰ電話装置のＩＰアドレスが変更された場合でも、管理装置からＩＰ電話装置を遠隔管理することが可能な遠隔管理サービスを提供することができ、そのサービスコストも低減することができるとともに、遠隔管理認証処理に際して管理装置とＩＰ電話装置の間でパスワードも送受信されないため、第３者が遠隔管理認証情報を作成することは困難であり、遠隔管理サービスのセキュリティを容易に確保することができる。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】変更
【補正の内容】
【００２１】
本発明の第５の態様に係るＩＰ電話装置は、ＩＰネットワークを介して接続される管理装置から遠隔管理されるＩＰ電話装置であって、前記管理装置から遠隔管理の要求を示すコマンドを含むセッション確立メッセージを受信し、前記メッセージ中から遠隔管理の要求を示すコマンドを認識すると、乱数を生成し、当該乱数と自装置の遠隔管理を受け付けるポート情報と自装置のＩＰアドレスとを設定した応答メッセージを前記管理装置に返送し、前記管理装置が当該ＩＰ電話装置と共通で記憶するパスワードと当該ＩＰ電話装置が返送した乱数とから生成した認証用文字列を前記管理装置から前記ポート情報のポートにおいて受信したとき、前記パスワードと前記生成した乱数とから第２の認証用文字列を生成し、前記管理装置から受信した認証用文字列と前記生成した第２の認証用文字列とを比較し、前記受信した認証用文字列と前記第２の認証用文字列とが同一であれば前記管理装置からの遠隔管理を受け付ける構成を採る。
【手続補正１９】
【補正対象書類名】明細書
【補正対象項目名】００２２
【補正方法】変更
【補正の内容】
【００２２】
この構成によれば、ハードウェアを追加することなくプログラムを追加するだけで、ＩＰ電話装置のＩＰアドレスが変更された場合でも、管理装置からＩＰ電話装置を遠隔管理することが可能な遠隔管理サービスを提供することができ、そのサービスコストも低減することができるとともに、遠隔管理認証処理に際して管理装置とＩＰ電話装置の間でパスワードも送受信されないため、第３者が遠隔管理認証情報を作成することは困難であり、遠隔管理サービスのセキュリティを容易に確保することができる。
【手続補正２０】
【補正対象書類名】明細書
【補正対象項目名】００２３
【補正方法】変更
【補正の内容】
【００２３】
本発明の第６の態様に係る管理装置は、ＩＰネットワークを介してＩＰ電話装置を遠隔管理する管理装置であって、前記ＩＰ電話装置を遠隔管理する際、遠隔管理の要求を示すコマンドと自管理装置のＩＰアドレスとを含ませたセッション確立メッセージを前記ＩＰ電話装置に送信し、乱数と遠隔管理を受け付けるポート情報とＩＰアドレスとを設定した応答メッセージを前記ＩＰ電話装置から受信し、予め前記ＩＰ電話装置と共通で記憶されたパスワードと受信した応答メッセージ中の乱数とから認証用文字列を生成して前記ＩＰ電話装置の前記ポート情報のポートに送信し、前記認証用文字列が前記パスワードと前記乱数とから前記ＩＰ電話装置により生成された第２の認証用文字列と一致して前記ＩＰ電話装置から遠隔管理を許可されたとき、前記ＩＰ電話装置の遠隔管理を行う構成を採る。
【手続補正２１】
【補正対象書類名】明細書
【補正対象項目名】００２４
【補正方法】変更
【補正の内容】
【００２４】
この構成によれば、ハードウェアを追加することなくプログラムを追加するだけで、ＩＰ電話装置のＩＰアドレスが変更された場合でも、管理装置からＩＰ電話装置を遠隔管理することが可能な遠隔管理サービスを提供することができ、そのサービスコストも低減することができるとともに、遠隔管理認証処理に際して管理装置とＩＰ電話装置の間でパスワードも送受信されないため、第３者が遠隔管理認証情報を作成することは困難であり、遠隔管理サービスのセキュリティを容易に確保することができる。